(57)【要約】【課題】入会用紙の記入手続を不要とし、しかも、ＩＣタグなどの会員カードを発行することなく会員の商品購入履歴情報などを取得できるようにした簡易入会システムを提案すること。【解決手段】簡易入会システム１は入会用端末２と会員データベースサーバ３を備えている。入会手続では、入会用端末２と携帯電話４とをＵＳＢケーブル５０で接続して、携帯電話４からメールアドレスを入会用端末２にダウンロードする。また、ＲＦＩＤリーダ２１によってＩＣチップ４１に記憶保持されているチップＩＤを入会用端末２に読み込む。入会用端末２は、取得したメールアドレスとチップＩＤとを会員データベースサーバ３に送信する。会員データベースサーバ３では受信したメールアドレスとチップＩＤとを会員情報として会員データベース３１に登録する。【選択図】図２
2008027332.tif 000002
【特許請求の範囲】
【請求項１】
携帯電話を利用して入会手続を行う簡易入会方法であって、
携帯電話に搭載されている電子メール機能に用いられているメールアドレスと、当該携帯電話に搭載されている非接触型ＩＣカード機能に用いられているＩＣチップのチップＩＤとを取得し、
取得した前記メールアドレスおよび前記チップＩＤを、会員情報として登録し、
前記チップＩＤを、会員ＩＤとして用いることを特徴とする簡易入会方法。
【請求項２】
請求項１において、
前記メールアドレスを、通信ケーブルを介して、前記携帯電話のメモリから取得し、
前記チップＩＤを、無線通信によって、前記携帯電話の前記ＩＣチップから取得することを特徴とする簡易入会方法。
【請求項３】
請求項１において、
前記ＩＣチップの読み取り機能を備えた入会用端末と、前記会員情報を登録する会員データベースを備えた会員データベースサーバとを配置し、
前記入会用端末から当該入会用端末に付与されている端末ＩＤを前記携帯電話に送信し、
当該携帯電話から、受信した前記端末ＩＤを電子メールにより、会員データベースサーバに送信させ、
前記入会用端末に前記携帯電話の前記チップＩＤを読み込み、
当該入会用端末から、読み取った前記チップＩＤを前記端末用ＩＤと共に前記会員データベースサーバに送信し、
前記会員データベースサーバにおいて、前記携帯電話から受信した前記端末用ＩＤと、前記入会用端末から受信した前記端末用ＩＤとを照合し、これらが一致している場合にのみ、前記電子メールの発信元のメールアドレスと前記チップＩＤを、会員情報として前記会員データベースに登録することを特徴とする簡易入会方法。
【請求項４】
請求項１において、
前記ＩＣチップの読み取り機能を備えた入会用端末と、前記会員情報が登録される会員データベースを備えた会員データベースサーバとを配置し、
シンボル画像リーダ機能を備えた前記携帯電話によって、シンボル画像の形態で前記入会用端末に付与されている端末ＩＤを読み取らせ、
当該携帯電話から、読み取った前記端末ＩＤを電子メールにより、会員データベースサーバに送信させ、
前記入会用端末に前記携帯電話の前記チップＩＤを読み込み、
当該入会用端末から、読み取った前記チップＩＤを前記端末ＩＤと共に前記会員データベースサーバに送信し、
前記会員データベースサーバにおいて、前記携帯電話から受信した前記端末ＩＤと、前記入会用端末から受信した前記端末ＩＤとを照合し、これらが一致している場合にのみ、前記電子メールの発信元のメールアドレスと前記チップＩＤを、会員情報として前記会員データベースに登録することを特徴とする簡易入会方法。
【請求項５】
請求項１に記載の簡易入会方法により入会手続を行う簡易入会システムであって、
携帯電話のメールアドレスおよびチップＩＤを会員情報として登録するための会員データベースと、
前記携帯電話から前記メールアドレスを取得するメールアドレス取得手段と、
前記携帯電話から前記チップＩＤを取得するチップＩＤ取得手段と、
取得された前記メールアドレスおよび前記チップＩＤを、会員情報として前記会員デー
タベースに登録する会員情報登録手段とを有していることを特徴とする簡易入会システム。
【請求項６】
請求項５において、
前記メールアドレス取得手段として機能する第１メールアドレス取得手段と、前記チップＩＤ取得手段を備えた入会用端末を有し、
前記第１メールアドレス取得手段は、前記携帯電話と通信ケーブルで接続した状態で当該携帯電話のメモリから前記メールアドレスを読み込むものであり、
前記チップＩＤ取得手段は、無線通信によって、前記携帯電話の前記ＩＣチップから前記チップＩＤを読み取る非接触型のものであることを特徴とする簡易入会システム。
【請求項７】
請求項６において、
前記会員データベース、前記メールアドレス取得手段として機能する第２メールアドレス取得手段、および前記会員情報登録手段を備えた会員データベースサーバと、
当該会員データベースサーバに通信回線を介して接続され、固有の端末ＩＤが付与されている前記入会用端末とを有しており、
当該入会用端末は、前記携帯電話と通信して、当該携帯電話の操作画面に、前記端末ＩＤを含み前記会員データベースサーバを宛先とする電子メールを送信させるためのメール送信画面を表示するメール送信画面表示手段と、前記チップＩＤ取得手段によって取得した前記チップＩＤを前記端末ＩＤと共に前記会員データベースサーバに送信するＩＤ送信手段とを備えており、
前記会員データベースサーバの前記第２メールアドレス取得手段は、前記携帯電話から前記メール送信画面を操作して送信された前記電子メールを受信して前記メールアドレスを取得するものであり、
当該会員データベースサーバは、更に、受信した前記電子メールから前記端末ＩＤを取得する端末ＩＤ取得手段と、前記入会用端末から前記チップＩＤおよび前記端末ＩＤを受信するＩＤ受信手段とを備えており、
前記会員情報登録手段は、前記端末ＩＤ取得手段により取得した端末ＩＤと、前記ＩＤ受信手段で受信した端末ＩＤとが一致する場合にのみ、前記メールアドレスと前記チップＩＤとを前記会員情報として前記会員データベースに登録することを特徴とする簡易入会システム。
【請求項８】
請求項７において、
前記入会用端末はシンボル画像表示手段を備えており、
当該シンボル画像表示手段によって表示されるシンボル画像には、前記携帯電話に搭載されているシンボル画像リーダ機能によって当該シンボル画像を読み込むと、当該携帯電話の操作画面に前記メール送信画面を表示させる情報が担持されていることを特徴とする簡易入会システム。
【請求項９】
請求項８において、
第１の入会モード、第２の入会モードおよび第３の入会モードを択一的に選択する入会モード選択手段を有しており、
前記第１の入会モードは、前記携帯電話の前記メールアドレスを、前記入会用端末の前記第１メールアドレス取得手段を用いて取得するモードであり、
前記第２の入会モードは、前記携帯電話の前記メールアドレスを、前記入会用端末の前記メール送信画面表示手段と、前記会員データベースサーバの前記第２メールアドレス取得手段を用いて取得するモードであり、
前記第３の入会モードは、前記携帯電話の前記メールアドレスを、前記入会用端末の前記シンボル画像表示手段と、前記会員データベースサーバの前記第２メールアドレス取得手段を用いて取得するモードであることを特徴とする簡易入会システム。
【請求項１０】
請求項５において、
前記会員データベース、前記メールアドレス取得手段、および前記会員情報登録手段を備えた会員データベースサーバと、
当該会員データベースサーバに通信回線を介して接続され、固有の端末ＩＤが付与されていると共に、前記チップＩＤ取得手段を備えた入会用端末とを有しており、
当該入会用端末は、前記携帯電話と通信して、当該携帯電話の操作画面に、前記端末ＩＤを含み前記会員データベースサーバを宛先とする電子メールを送信させるためのメール送信画面を表示するメール送信画面表示手段と、前記チップＩＤ取得手段によって取得した前記チップＩＤを前記端末ＩＤと共に前記会員データベースサーバに送信するＩＤ送信手段とを備えており、前記チップＩＤ取得手段は、無線通信によって、前記携帯電話の前記ＩＣチップから前記チップＩＤを読み取る非接触型のものであり、
前記会員データベースサーバの前記メールアドレス取得手段は、前記携帯電話から前記メール送信画面を操作して送信された前記電子メールを受信して前記メールアドレスを取得するものであり、
当該会員データベースサーバは、更に、受信した前記電子メールから前記端末ＩＤを取得する端末ＩＤ取得手段と、前記入会用端末から前記チップＩＤおよび前記端末ＩＤを受信するＩＤ受信手段とを備えており、
前記会員情報登録手段は、前記端末ＩＤ取得手段により取得した端末ＩＤと、前記ＩＤ受信手段で受信した端末ＩＤとが一致する場合にのみ、前記メールアドレスと前記チップＩＤとを前記会員情報として前記会員データベースに登録することを特徴とする簡易入会システム。
【請求項１１】
請求項５において、
前記会員データベース、前記メールアドレス取得手段、および前記会員情報登録手段を備えた会員データベースサーバと、
当該会員データベースサーバに通信回線を介して接続され、固有の端末ＩＤが付与されていると共に、前記チップＩＤ取得手段を備えた入会用端末とを有しており、
当該入会用端末は、シンボル画像表示手段と、前記チップＩＤ取得手段によって取得した前記チップＩＤを前記端末ＩＤと共に前記会員データベースサーバに送信するＩＤ送信手段とを備えており、
前記シンボル画像表示手段によって表示されるシンボル画像には、前記携帯電話に搭載されているシンボル画像リーダ機能によって当該シンボル画像を読み込むと、当該携帯電話の操作画面に前記メール送信画面を表示させる情報が担持されており、
前記チップＩＤ取得手段は、無線通信によって、前記携帯電話の前記ＩＣチップから前記チップＩＤを読み取る非接触型のものであり、
前記会員データベースサーバの前記メールアドレス取得手段は、前記携帯電話から前記メール送信画面を操作して送信された前記電子メールを受信して前記メールアドレスを取得するものであり、
当該会員データベースサーバは、更に、受信した前記電子メールから前記端末ＩＤを取得する端末ＩＤ取得手段と、前記入会用端末から前記チップＩＤおよび前記端末ＩＤを受信するＩＤ受信手段とを備えており、
前記会員情報登録手段は、前記端末ＩＤ取得手段により取得した端末ＩＤと、前記ＩＤ受信手段で受信した端末ＩＤとが一致する場合にのみ、前記メールアドレスと前記チップＩＤとを前記会員情報として前記会員データベースに登録することを特徴とする簡易入会システム。
【発明の詳細な説明】
【技術分野】
【０００１】
本発明は、電子メール機能および非接触型ＩＣカード機能を搭載した携帯電話を利用して、会員登録のための入会用紙への記載、および、会員カードの発行を不要とした簡易入会方法および簡易入会システムに関するものである。
【背景技術】
【０００２】
店舗等において顧客が店舗会員等になるための入会（登録）手続を行う場合には、入会用紙に個人情報を記入する必要がある。記入事項には、住所、氏名、年齢、性別、趣味などが含まれている。入会用紙に記入して入会手続を済ませると、店舗等から、入会者に対して会員ＩＤが記憶された会員カードが発行される。入会した顧客は、会員カードを提示して買物などを行うことにより、各種の特典の恩恵にあずかることができる。また、店舗などからイベント情報や商品情報の提供を受けることができる。近年においては、インターネット経由で、会員のメールアドレス宛に各種の情報が配信されることも多い。店舗側では、会員カードの使用状況から会員の商品購買履歴などを集計して消費動向、売れ筋商品などを分析して、売上の向上を図ることができる。
【０００３】
特許文献１には、会員カードとしてＩＣタグを入会者に発行し、ＩＣタグのＩＤ番号を会員ＩＤとして利用し、商品情報などの配信を、会員の携帯電話のメールアドレス宛に行うように構成された商品情報配信システムが提案されている。
【特許文献１】特開２００４−８６３９７号公報
【発明の開示】
【発明が解決しようとする課題】
【０００４】
従来における入会方法では、入会の際に入会用紙に個人情報を記入する手続が必要である。インターネット経由で入会手続を行う場合も同様であり、通信端末の画面上に表示された入会用紙に入力する必要がある。多数の項目を記入あるいは入力する作業は面倒であり、また、個人情報を提示することの抵抗もある。入会用紙に記入する手続が入会者を募る際の大きな障害となっている。
【０００５】
また、会員を募集する店舗などの側においては、入会用紙から会員システムへの入力処理や、入会者に対して固有のＩＤが記憶保持されている会員カードを発行する必要があり、その分、会員システムを構築するためのコストが増加している。会員カードを発行して、各会員にＩＤを付与しないと、各会員の商品購入履歴情報などを集計できないので、会員システムを導入したメリットが薄れてしまう。
【０００６】
本発明の課題は、このような点に鑑みて、入会用紙の記入手続を不要とし、しかも、ＩＣタグなどの会員カードを発行することなく会員の商品購入履歴情報などを取得できるようにした簡易入会方法および簡易入会システムを提案することにある。
【課題を解決するための手段】
【０００７】
上記の課題を解決するために、本発明では、電子メール機能およびＦｅｌｉＣａ（登録商標）などの非接触型ＩＣカード機能が搭載された携帯電話に着目し、これを利用して、簡易入会方法および簡易入会システムを構築するようにしている。
【０００８】
すなわち、本発明は、携帯電話を利用して入会手続を行う簡易入会方法であって、携帯電話に搭載されている電子メール機能に用いられているメールアドレスと、当該携帯電話に搭載されている非接触型ＩＣカード機能に用いられているＩＣチップのチップＩＤとを
取得し、取得した前記メールアドレスおよび前記チップＩＤを、会員情報として登録し、前記チップＩＤを、会員ＩＤとして用いることを特徴とする。
【０００９】
本発明の簡易入会方法では、入会希望者が所持している携帯電話のメールアドレスとチップＩＤとをそのまま会員情報として登録する。携帯電話のメールアドレスは、携帯電話から直接ダウンロードし、あるいは、入会希望者が送信した電子メールを受信する等の方法により取得することができる。また、非接触型カード機能に用いられているＩＣチップのチップＩＤはＲＦＩＤ（radio frequency identification）リーダによって読み取ることができる。
【００１０】
このように、会員情報は入会希望者が入会用紙に書き込まなくても取得することができるので、入会手続の際の入会希望者の負担を軽減することができる。店舗側の入力処理の負担も軽減することができる。また、登録される会員情報に住所や氏名等の個人情報が含まれていないので、入会希望者の心理的な負担も軽減することもできる。従って、会員を募りやすい。
【００１１】
また、本発明では、携帯電話のチップＩＤをそのまま会員ＩＤとしているので、入会希望者の所持している携帯電話そのものを会員カードとして利用することができる。新たに会員カードを発行する必要がないので、会員システムを導入するためのコストを抑えることができる。また、入会した顧客は携帯電話の他に会員カードを所持する必要がなく、常時携帯している自己の携帯電話によって各種の会員サービスを受けることができるので、便利である。さらに、会員システムを運営する店舗の側では、チップＩＤに基づいて顧客の商品購入履歴情報等を集計することができるので、会員システムを利用して、効果的な販売促進活動を行うことができる。
【００１２】
本発明において、前記メールアドレスを、通信ケーブルを介して、前記携帯電話のメモリから取得し、前記チップＩＤを、無線通信によって、前記携帯電話の前記ＩＣチップから取得するようにすることができる。
【００１３】
また、本発明において、前記ＩＣチップの読み取り機能を備え、端末ＩＤが付与されている入会用端末と、前記会員情報が登録される会員データベースを備えた会員データベースサーバとを配置した場合には、前記入会用端末から前記携帯電話に前記端末ＩＤを送信し、当該携帯電話から、受信した前記端末ＩＤを電子メールにより、会員データベースサーバに送信させ、前記入会用端末に前記携帯電話の前記チップＩＤを読み込み、当該入会用端末から、読み取った前記チップＩＤを前記端末用ＩＤと共に前記会員データベースサーバに送信し、前記会員データベースサーバにおいて、前記携帯電話から受信した前記端末用ＩＤと、前記入会用端末から受信した前記端末用ＩＤとを照合し、これらが一致している場合にのみ、前記電子メールの発信元のメールアドレスと前記チップＩＤを、会員情報として前記会員データベースに登録するようにすればよい。
【００１４】
このようにすれば、入会希望者のメールアドレスとチップＩＤが異なるルートで会員データベースサーバに送信されて、データベースに登録される。従って、複数の店舗で入会手続が行われている場合に、インターネットなどの通信回線を介して会員データベースへの登録が行なわれても、なりすましを防止することができる。よって、離れた場所にある複数の店舗における入会手続を、これらの店舗から離れた場所において集中管理することができる。
【００１５】
また、前記ＩＣチップの読み取り機能を備え、シンボル画像（２次元コード、バーコード等）の形態で端末ＩＤが付与されている入会用端末と、前記会員情報が登録される会員データベースを備えた会員データベースサーバとを配置した場合には、シンボル画像リー
ダ機能を備えた前記携帯電話によって前記端末ＩＤを読み取らせ、当該携帯電話から、読み取った前記端末ＩＤを電子メールにより、会員データベースサーバに送信させ、前記入会用端末に前記携帯電話の前記チップＩＤを読み込み、当該入会用端末から、読み取った前記チップＩＤを前記端末ＩＤと共に前記会員データベースサーバに送信し、前記会員データベースサーバにおいて、前記携帯電話から受信した前記端末ＩＤと、前記入会用端末から受信した前記端末ＩＤとを照合し、これらが一致している場合にのみ、前記電子メールの発信元のメールアドレスと前記チップＩＤを、会員情報として前記会員データベースに登録するようにすればよい。
【００１６】
このようにしても、入会希望者のメールアドレスとチップＩＤとは異なるルートで会員データベースサーバに送信されて、データベースに登録される。従って、複数の店舗で同時に入会手続が行われている場合に、インターネットを介して会員データベースへの登録が行なわれてもなりすましを防止することができる。また、シンボル画像を利用して入会用端末の端末ＩＤを入会希望者の携帯電話に読み取らせるようにしているので、端末ＩＤを携帯電話の電子メールで送信させるために、携帯電話と入会用端末とを接続する必要がなく、入会手続が簡易になる。
【００１７】
次に、本発明は、上記の簡易入会方法により入会手続を行う簡易入会システムであって、携帯電話のメールアドレスおよびチップＩＤを会員情報として登録するための会員データベースと、前記携帯電話から前記メールアドレスを取得するメールアドレス取得手段と、前記携帯電話から前記チップＩＤを取得するチップＩＤ取得手段と、取得された前記メールアドレスおよび前記チップＩＤを、会員情報として前記会員データベースに登録する会員情報登録手段とを有していることを特徴としている。
【００１８】
ここで、前記メールアドレス取得手段として機能する第１メールアドレス取得手段と、前記チップＩＤ取得手段を備えた入会用端末を有している場合には、前記第１メールアドレス取得手段を、前記携帯電話と通信ケーブルで接続した状態で当該携帯電話のメモリから前記メールアドレスを読み込むものとし、前記チップＩＤ取得手段を、無線通信によって、前記携帯電話の前記ＩＣチップから前記チップＩＤを読み取る非接触型のものとすることができる。
【００１９】
また、前記会員データベース、前記メールアドレス取得手段として機能する第２メールアドレス取得手段、および前記会員情報登録手段を備えた会員データベースサーバと、当該会員データベースサーバに通信回線を介して接続され、固有の端末ＩＤが付与されている前記入会用端末とを有している場合には、前記入会用端末および前記会員データベースサーバを次のように構成することができる。
【００２０】
すなわち、前記入会用端末は、前記携帯電話と通信して、当該携帯電話の操作画面に、前記端末ＩＤを含み前記会員データベースサーバを宛先とする電子メールを送信させるためのメール送信画面を表示するメール送信画面表示手段と、前記チップＩＤ取得手段によって取得した前記チップＩＤを前記端末ＩＤと共に前記会員データベースサーバに送信するＩＤ送信手段とを備えている。前記会員データベースサーバの前記第２アドレス取得手段は、前記携帯電話から前記メール送信画面を操作して送信された前記電子メールを受信して前記メールアドレスを取得するものである。また、当該会員データベースサーバは、更に、受信した前記電子メールから前記端末ＩＤを取得する端末ＩＤ取得手段と、前記入会用端末から前記チップＩＤおよび前記端末ＩＤを受信するＩＤ受信手段とを備えており、前記会員情報登録手段は、前記端末ＩＤ取得手段により取得した端末ＩＤと、前記ＩＤ受信手段で受信した端末ＩＤとが一致する場合にのみ、前記メールアドレスと前記チップＩＤとを前記会員情報として前記会員データベースに登録することを特徴としている。
【００２１】
さらに、前記入会用端末がシンボル画像表示手段を備えている場合には、当該シンボル画像表示手段によって表示されるシンボル画像に、前記携帯電話に搭載されているシンボル画像リーダ機能によって当該シンボル画像を読み込むと、当該携帯電話の操作画面に前記メール送信画面を表示させる情報を担持させておけばよい。
【００２２】
さらにまた、第１の入会モード、第２の入会モードおよび第３の入会モードを択一的に選択する入会モード選択手段を有し、前記第１の入会モードを、前記携帯電話の前記メールアドレスを、前記入会用端末の前記第１メールアドレス取得手段を用いて取得するモードとし、前記第２の入会モードを、前記携帯電話の前記メールアドレスを、前記入会用端末の前記メール送信画面表示手段と、前記会員データベースサーバの前記第２メールアドレス取得手段を用いて取得するモードとし、前記第３の入会モードを、前記携帯電話の前記メールアドレスを、前記入会用端末の前記シンボル画像表示手段と、前記会員データベースサーバの前記第２メールアドレス取得手段を用いて取得するモードとすることができる。
【００２３】
次に、本発明は、上記の簡易入会方法により入会手続を行う簡易入会システムであって、携帯電話のメールアドレスおよびチップＩＤを会員情報として登録するための会員データベースと、前記携帯電話から前記メールアドレスを取得するメールアドレス取得手段と、前記携帯電話から前記チップＩＤを取得するチップＩＤ取得手段と、取得された前記メールアドレスおよび前記チップＩＤを、会員情報として前記会員データベースに登録する会員情報登録手段とを有していると共に、次の構成を備えたことを特徴としている。
【００２４】
すなわち、前記会員データベース、前記メールアドレス取得手段、および前記会員情報登録手段を備えた会員データベースサーバと、当該会員データベースサーバに通信回線を介して接続され、固有の端末ＩＤが付与されていると共に、前記チップＩＤ取得手段を備えた入会用端末とを有している。また、当該入会用端末は、前記携帯電話と通信して、当該携帯電話の操作画面に、前記端末ＩＤを含み前記会員データベースサーバを宛先とする電子メールを送信させるためのメール送信画面を表示するメール送信画面表示手段と、前記チップＩＤ取得手段によって取得した前記チップＩＤを前記端末ＩＤと共に前記会員データベースサーバに送信するＩＤ送信手段とを備えており、前記チップＩＤ取得手段は、無線通信によって、前記携帯電話の前記ＩＣチップから前記チップＩＤを読み取る非接触型のものである。さらには、前記会員データベースサーバの前記メールアドレス取得手段は、前記携帯電話から前記メール送信画面を操作して送信された前記電子メールを受信して前記メールアドレスを取得するものであり、当該会員データベースサーバは、更に、受信した前記電子メールから前記端末ＩＤを取得する端末ＩＤ取得手段と、前記入会用端末から前記チップＩＤおよび前記端末ＩＤを受信するＩＤ受信手段とを備えており、前記会員情報登録手段は、前記端末ＩＤ取得手段により取得した端末ＩＤと、前記ＩＤ受信手段で受信した端末ＩＤとが一致する場合にのみ、前記メールアドレスと前記チップＩＤとを前記会員情報として前記会員データベースに登録することを特徴としている。
【００２５】
一方、本発明は、上記の簡易入会方法により入会手続を行う簡易入会システムであって、携帯電話のメールアドレスおよびチップＩＤを会員情報として登録するための会員データベースと、前記携帯電話から前記メールアドレスを取得するメールアドレス取得手段と、前記携帯電話から前記チップＩＤを取得するチップＩＤ取得手段と、取得された前記メールアドレスおよび前記チップＩＤを、会員情報として前記会員データベースに登録する会員情報登録手段とを有していると共に、次の構成を備えたことを特徴としている。
【００２６】
すなわち、前記会員データベース、前記メールアドレス取得手段、および前記会員情報登録手段を備えた会員データベースサーバと、当該会員データベースサーバに通信回線を介して接続され、固有の端末ＩＤが付与されていると共に、前記チップＩＤ取得手段を備
えた入会用端末とを有している。また、当該入会用端末は、シンボル画像表示手段と、前記チップＩＤ取得手段によって取得した前記チップＩＤを前記端末ＩＤと共に前記会員データベースサーバに送信するＩＤ送信手段とを備えており、前記シンボル画像表示手段によって表示されるシンボル画像には、前記携帯電話に搭載されているシンボル画像リーダ機能によって当該シンボル画像を読み込むと、当該携帯電話の操作画面に前記メール送信画面を表示させる情報が担持されており、前記チップＩＤ取得手段は、無線通信によって、前記携帯電話の前記ＩＣチップから前記チップＩＤを読み取る非接触型のものである。さらに、前記会員データベースサーバの前記メールアドレス取得手段は、前記携帯電話から前記メール送信画面を操作して送信された前記電子メールを受信して前記メールアドレスを取得するものであり、当該会員データベースサーバは、更に、受信した前記電子メールから前記端末ＩＤを取得する端末ＩＤ取得手段と、前記入会用端末から前記チップＩＤおよび前記端末ＩＤを受信するＩＤ受信手段とを備えており、前記会員情報登録手段は、前記端末ＩＤ取得手段により取得した端末ＩＤと、前記ＩＤ受信手段で受信した端末ＩＤとが一致する場合にのみ、前記メールアドレスと前記チップＩＤとを前記会員情報として前記会員データベースに登録することを特徴としている。
【発明の効果】
【００２７】
本発明の簡易入会方法および簡易入会システムによれば、会員情報は入会希望者が入会用紙に書き込まなくても取得することができるので、入会手続の際の入会希望者の負担を軽減することができる。店舗側の入力処理の負担も軽減することができる。また、登録される会員情報に住所や氏名等の個人情報が含まれていないので、入会希望者の心理的な負担も軽減することもできる。従って、会員を募りやすい。また、携帯電話のチップＩＤをそのまま会員ＩＤとしているので、入会希望者の所持している携帯電話そのものを会員カードとして利用することができる。新たに会員カードを発行する必要がないので、会員システムを導入するためのコストを抑えることができる。また、入会した顧客は携帯電話の他に会員カードを所持する必要がなく、常時携帯している自己の携帯電話によって各種の会員サービスを受けることができるので、便利である。さらに、会員システムを運営する店舗の側では、チップＩＤに基づいて顧客の商品購入履歴情報等を集計することができるので、会員システムを利用して、効果的な販売促進活動を行うことができる。
【発明を実施するための最良の形態】
【００２８】
以下に、図面を参照して、本発明を適用した簡易入会システムを説明する。図１は本形態の簡易入会システムの全体構成図であり、図２は簡易入会システムの概略ブロック図である。
【００２９】
（システム構成）
簡易入会システム１は、電子メール機能および非接触型ＩＣカード機能が搭載されている携帯電話４を所持している入会希望者について入会手続を行ない、それぞれの機能で利用されるメールアドレスおよびチップＩＤを、携帯電話４を所有する顧客の会員情報として登録する。
【００３０】
まず、図１を参照して説明すると、簡易入会システム１は、複数の店舗１０のそれぞれに設置されている固有の端末ＩＤが付与された入会用端末２と、一箇所の会員システム運営会社１１に設置されている会員データベースサーバ３と、これらの入会用端末２を会員データベースサーバ３に接続可能なインターネット５と、携帯電話４およびその通信網とによって構築されている。各店舗１０で入会手続を行った入会希望者の所持する携帯電話４のメールアドレスおよびチップＩＤは、インターネット５を介して会員データベースサーバ３に送信され、会員データベースサーバ３の会員データベース３１に登録される。
【００３１】
図２を参照して説明すると、入会希望者が所有する電子メール機能および非接触型ＩＣ
カード機能を搭載した携帯電話４は、一般に市販されているものであり、メール送受信手段４０と、固有のチップＩＤが記憶保持されているＩＣチップ４１と、携帯表示手段４２と、自己のメールアドレスが記憶保持されているメモリ４３と、外部装置とＵＳＢ（Universal Serial Bus）で接続して通信するためのＵＳＢ通信手段４４と、これらを制御する携帯制御手段４５と、二次元コードを読み込むためのエリアセンサから構成されるバーコードリーダ４６（シンボル画像リーダ）とを備えている。
【００３２】
各店舗１０に備えられている入会用端末２は、液晶パネルを有する端末表示手段２２と、固有の端末ＩＤを記憶している端末メモリ２３と、携帯電話４にＵＳＢで接続して通信するための端末側ＵＳＢ通信手段２４と、携帯電話４に内蔵されたＩＣチップ４１のチップＩＤを非接触で読み取ることができるＲＦＩＤリーダ２１と、会員データベースサーバ３とインターネット５を介した通信を行うためのネットワーク通信手段２６と、これらを制御する端末制御手段２７を備えている。また、入会モード選択スイッチ２８を備えており、この入会モード選択スイッチ２８を操作することにより、第１ないし第３の入会モードを択一的に選択できるようになっている。
【００３３】
会員システム運営会社１１に配置されている会員データベースサーバ３は、入会用端末２から送信されてくる携帯電話４のチップＩＤや端末ＩＤ等を受信する端末側通信手段３２と、携帯電話４から送信されてくる電子メールを受信して、発信元のメールアドレスや本文の内容を取得するメールアドレス取得手段３３と、端末側通信手段３２およびメールアドレス取得手段３３で受信した情報から同一の携帯電話のメールアドレスとチップＩＤとを関連付ける情報関連付け手段３４と、情報関連付け手段３４で関連付けられたメールアドレスとチップＩＤとを会員データベース３１に登録する会員情報登録手段３５とを備えている。
【００３４】
（入会処理動作）
図３ないし図５は、本形態の簡易入会システム１による入会処理動作を示すフローチャートであり、図３は第１の入会モードを示し、図４は第２の入会モードを示し、図５は第３の入会モードを示してある。先に述べたように、これらの入会モードは、入会用端末２の入会モード選択スイッチ２８を操作することにより選択可能となっている。
【００３５】
（第１の入会モード）
第１の入会モードでは、携帯電話４のメールアドレスを取得するために、入会希望者の携帯電話４と入会用端末２とをＵＳＢで接続して、携帯電話４のメモリから直接にメールアドレスを取得するモードである。
【００３６】
図３のフローチャートに従って第１の入会モードを説明する。まず、ステップＳＴ１１では、入会希望者の携帯電話４と入会用端末２とをＵＳＢケーブル５０で接続する。次に、ステップＳＴ１２において、携帯電話４のメモリ４３から入会用端末２にメールアドレスをダウンロードする。次に、ステップＳＴ１３において、入会希望者に自己の携帯電話４をＲＦＩＤリーダ２１にかざしてもらい、ＲＦＩＤリーダ２１により、携帯電話４のチップＩＤを入会用端末２に読み込む。
【００３７】
このようにして入会用端末２に取得されたメールアドレスとチップＩＤは、ステップＳＴ１４において入会用端末２から会員データベースサーバ３に送信され、会員データベースサーバ３の側において、これらのデータを端末側通信手段３２を介して受信する。会員データベースサーバ３は、これらのデータが入会用端末２から一緒に送信された場合には、入会モードが第１の入会モードであると判断し、ステップＳＴ１５において、会員情報登録手段３５によって、受信したメールアドレスとチップＩＤとを顧客を特定する会員情報として会員データベース３１に登録する。
【００３８】
なお、ステップＳＴ１１、ＳＴ１２のメールアドレス取得動作とステップＳＴ１３のチップＩＤの取得動作は逆の順番で行っても良い。
【００３９】
（第２の入会モード）
第２の入会モードは、携帯電話４のメールアドレスを、入会希望者に自己の携帯電話４から会員データベースサーバ３宛に電子メールを送信してもらうことによって取得する手順を含んでいる。
【００４０】
図４のフローチャートに従って第２の入会モードを説明する。まず、ステップＳＴ２１において、入会用端末２と携帯電話４とをＵＳＢケーブル５０で接続する。ステップＳＴ２２において、入会用端末２が携帯電話４の携帯表示手段４２に、本文を端末ＩＤとして宛先を会員データベースサーバ３とする電子メールのメール送信画面をダウンロードさせて表示させる。そして、入会希望者に、携帯表示手段４２に表示されているメール送信画面を操作して電子メールを送信してもらう。
【００４１】
ステップＳＴ２３において、携帯電話４から会員データベースサーバ３宛に電子メールが送信されると、ステップＳＴ２４では、会員データベースサーバ３のメールアドレス取得手段３３がその電子メールを受信するとともに、送信元メールアドレスを顧客のメールアドレスとして取得する。また、電子メールの本文から、店舗１０において入会手続に用いられている入会用端末２の端末ＩＤを取得する。
【００４２】
次に、入会希望者に携帯電話４をＲＦＩＤリーダ２１にかざしてもらう。ステップＳＴ２５では、かざされた携帯電話４からＲＦＩＤリーダ２１がチップＩＤを入会用端末２へ読み込む。読み込まれたチップＩＤは、ステップＳＴ２６において、入会用端末２の端末ＩＤとともに会員データベースサーバ３に送信され、会員データベースサーバ３は、端末側通信手段３２を介してチップＩＤを受信する。
【００４３】
会員データベース３は、端末側通信手段３２を介してチップＩＤのみを受信した場合、すなわち、メールアドレスおよびチップＩＤの双方を受信しなかった場合には、入会モードが第２あるいは第３の入会モードであると識別する。この場合には、ステップＳＴ２７において、情報関連付け手段３４により、入会用端末から受信したチップＩＤと、ステップＳＴ２４においてメールアドレス取得手段３３を介して携帯電話４から受信したメールアドレスとを関連付ける。すなわち、端末側通信手段３２がチップＩＤと同時に受信した端末ＩＤと、メールアドレス取得手段３３がメールアドレスと同時に取得した端末ＩＤとを照合して、同一の場合には、送信されてきたメールアドレスとチップＩＤとを顧客が所持する同一の携帯電話４から取得した会員情報であると関連付ける。関連付けられたメールアドレスとチップＩＤとは、ステップＳＴ３８で、会員情報登録手段３５が、会員データベース３１に登録する。
【００４４】
なお、ステップＳＴ２１〜ＳＴ２４のメールアドレスの取得動作とステップＳＴ２５、ＳＴ２６のチップＩＤの取得動作は前後してもよい。すなわち、入会用端末２のＲＦＩＤリーダ２１によってＩＣチップのチップＩＤを取得して会員データベースサーバ３に送信した後に、入会用端末２と携帯電話４とをＵＳＢケーブル５０で接続して、入会希望者に電子メールを送信してもらうようにしても会員情報を登録することができる。
【００４５】
第２の入会モードによれば、メールアドレスとチップＩＤとは異なるルートで会員データベースサーバ３に送信された後、端末ＩＤによって関連付けられて登録される。従って、入会手続に際してインターネット５を利用していても、なりすましを防ぐことができる。
【００４６】
（第３の入会モード）
第３の入会モードは、入会用端末２の端末ＩＤを二次元コード（又はバーコード）の形態で表示して、これを携帯電話４に読み取ってもらい、端末ＩＤ情報を含む電子メールを携帯電話４から会員データベースサーバ３に送信してもらう手順を含んでいる。したがって、第３の入会モードはバーコードリーダが備わっている携帯電話を所持している入会希望者の入会手続にのみ採用することができる。
【００４７】
図５のフローチャートに従って第３の入会モードを説明する。まず、ステップＳＴ３１では、入会用端末２の端末表示手段２２（シンボル画像表示手段）に二次元コードを表示する。この二次元コードには、本文として入会用端末２の端末ＩＤが入力されている電子メールを会員データベースサーバ３宛に送信するための制御情報が含まれている。入会希望者に、表示されている二次元コードを携帯電話４のバーコードリーダ機能を利用して読み込んでもらう。
【００４８】
顧客が二次元コードを読み込むと、ステップＳＴ３２で、携帯電話４の携帯表示手段４２には、本文に端末ＩＤが入力され、会員データベースサーバ３を宛先としたメール送信画面が表示される。そこで、入会希望者に、携帯表示手段４２に表示されているメール送信画面を操作して電子メールを送信してもらう。
【００４９】
ステップＳＴ３３において、携帯電話４から会員データベースサーバ３宛に電子メールが送信されると、ステップＳＴ３４では、会員データベースサーバ３のメールアドレス取得手段３３がその電子メールを受信するとともに、送信元メールアドレスを顧客のメールアドレスとして取得する。また、電子メールの本文から、入会手続に用いられている入会用端末２の端末ＩＤを取得する。
【００５０】
次に、入会希望者に携帯電話４をＲＦＩＤリーダ２１にかざしてもらう。ステップＳＴ３５では、かざされた携帯電話４からＲＦＩＤリーダ２１がチップＩＤを入会用端末２読み込む。読み込まれたチップＩＤは、ステップＳＴ３６において、入会用端末２の端末ＩＤとともに会員データベースサーバ３に送信される。
【００５１】
会員データベースサーバ３の端末側通信手段３２がチップＩＤを受信すると、ステップＳＴ３７では、情報関連付け手段３４がそのチップＩＤとステップＳＴ２４でメールアドレス取得手段３３が取得したメールアドレスとを関連付ける。すなわち、端末側通信手段３２がチップＩＤと同時に受信した端末ＩＤと、メールアドレス取得手段３３がメールアドレスと同時に取得した端末ＩＤとを照合して、同一の場合には、送信されてきたメールアドレスとチップＩＤとを顧客が所持する同一の携帯電話４から取得した会員情報であると関連付ける。関連付けられたメールアドレスとチップＩＤとは、ステップＳＴ３８で、会員情報登録手段３５が、会員データベース３１に登録する。
【００５２】
なお、ステップＳＴ３１〜ＳＴ３４のメールアドレス取得の動作とステップＳＴ３５、ＳＴ３６のチップＩＤ取得の動作は前後してもよい。すなわち、入会用端末２のＲＦＩＤリーダ２１によってＩＣチップのチップＩＤを取得して会員データベースサーバ３に送信した後に、入会希望者に携帯電話４で二次元コードを読み取って電子メールを送信してもらうようにしても、会員情報を登録できる。
【００５３】
第３の入会モードによれば、メールアドレスとチップＩＤとは異なるルートで会員データベースサーバ３に送信された後、端末ＩＤによって関連付けられて登録される。従って、入会手続に際してインターネット５を利用していても、なりすましを防ぐことができる。また、携帯電話４と入会用端末２をＵＳＢケーブルで接続する必要がないので、入会手
続が一層簡単になるという利点がある。
【００５４】
以上説明したように、本例の簡易入会システム１では、入会希望者が所持している携帯電話４のメールアドレスとチップＩＤとを会員情報として会員データベース３１に登録する。会員情報は入会希望者が入会用紙に書き込まなくても取得することができるので、入会手続の際の入会希望者の負担を軽減することができる。店舗側の入力処理の負担も軽減することができる。また、登録される会員情報に住所や氏名等の個人情報が含まれていないので、入会希望者の心理的な負担も軽減することができる。従って、簡易入会システム１を利用することにより、店舗１０では、会員を募りやすいという利点がある。
【００５５】
また、簡易入会システム１によって会員データベースに登録した携帯電話４のチップＩＤをそのまま会員ＩＤとしているので、入会希望者の所持している携帯電話４そのものを会員カードとして利用することができる。新たに会員カードを発行する必要がないので、会員システムを導入するためのコストを抑えることができる。さらに、入会した顧客は携帯電話４の他に会員カードを所持する必要がなく、常時携帯している自己の携帯電話４によって各種の会員サービスを受けることができるので、便利である。
【００５６】
次に、本例の簡易入会システム１では、会員ＩＤとして非接触型ＩＣカード機能に用いられるＩＣチップ４１のチップＩＤを利用しているので、会員となった後に店舗から各種の情報の配信サービスを受ける際にも、例えば、店舗１０内に設置されているＲＦＩＤリーダに自己の携帯電話４をかざすだけで、店舗１０の側に自己の来店を知らせることができ、会員情報として登録してあるメールアドレスに宛てて商品情報等を配信してもらうことができる。また、店舗の側では、チップＩＤに基づいて顧客の商品購入履歴情報等を集計することができるので、簡易入会システム１を利用して入会者を募った会員システムを運営すれば、効果的な販売促進活動をすることができる。
【００５７】
（その他の実施の形態）
上記の実施の形態では、入会用端末２として専用端末を用いているが、汎用のパーソナルコンピュータにＲＦＩＤリーダを接続したものを入会用端末として使用することもできる。
【００５８】
また、上記の実施の形態において、第２、第３の入会モードでは、入会用端末２の端末ＩＤとして固定の端末ＩＤが付与されている。しかし、１つの携帯電話４からメールアドレスおよびチップＩＤを取得する毎に、異なる端末ＩＤを乱数で生成するようにしてもよい。この場合、第３の入会モードでは、端末表示手段２２に表示される二次元コードも端末ＩＤに基づいて動的に生成される。このようにすれば、入会、登録にインターネットを利用していても、なりすましを確実に防止することができる。
【図面の簡単な説明】
【００５９】
【図１】本形態の簡易入会システムの概略図である。
【図２】本形態の簡易入会システムのブロック図である。
【図３】第１の入会モードの動作を示すフローチャートである。
【図４】第２の入会モードの動作を示すフローチャートである。
【図５】第３の入会モードの動作を示すフローチャートである。
【符号の説明】
【００６０】
１・簡易入会システム、２・入会用端末、３・会員データベースサーバ、４・携帯電話、５・インターネット、２１・ＲＦＩＤリーダ、２２・端末表示手段（シンボル画像表示手段）、２３・端末メモリ、２４・端末側ＵＳＢ通信手段、２６・ネットワーク通信手段、２７・端末制御手段、２８・入会モード選択スッチ、３１・会員データベース、３２・端
末側通信手段、３３・メールアドレス取得手段、３４・情報関連付け手段、３５・会員情報登録手段、４０・メール送受信手段、４１・ＩＣチップ、４２・携帯表示手段、４３・メモリ、４４・ＵＳＢ通信手段、４５・携帯制御手段、４６・バーコードリーダ（シンボル画像リーダ）、５０・ＵＳＢケーブル
【図１】
2008027332.tif 000003
【図２】
2008027332.tif 000004
【図３】
2008027332.tif 000005
【図４】
2008027332.tif 000006
【図５】
2008027332.tif 000007